【手続補正書】
【提出日】平成19年4月13日(2007.4.13)
【手続補正１】
【補正対象書類名】特許請求の範囲
【補正対象項目名】全文
【補正方法】変更
【補正の内容】
【特許請求の範囲】
【請求項１】
中継器を備える無線通信ネットワークで位置決定を実行する方法であって、前記中継器は、中継器内部遅延を引き起こす回路を備え、付加的な遅延は、前記中継器内部遅延と、前記基地局から前記中継器への送信時間とに応答して定義され、前記中継器に関連付けられる付加的な遅延の情報が利用可能である方法であって、
無線端末によって受信される信号を中継器からのものであると識別することと、
前記中継器の位置を得ることと、
前記中継器に関連する前記付加的な遅延を取り除くために前記中継器の時間測定値を処理することと、
前記付加的な遅延が取り除かれた、前記中継器の前記時間測定値と、前記端末により受信される少なくとも２つの更なるトランスミッタの時間測定値に基づいて、前記端末のより正確な位置推定値を得ることと、
前記端末の、より正確な位置推定値を得ることができない場合、前記中継器の前記位置を前記端末の位置推定値として提供すること、
を含む方法。
【請求項２】
前記端末の前記より正確な位置推定値を得ることができない場合、前記中継器の位置の不確実さを、前記端末の前記位置推定値における不確実さとして提供すること、
を更に含む、請求項１に記載の方法。
【請求項３】
前記端末の三辺測量を実行するために必要な数の測定値が欠如すると、前記端末の前記より正確な位置推定値を得ることができない、請求項１に記載の方法。
【請求項４】
前記端末が室内環境にあるのか室外環境にあるのかを判断することと、
前記端末が室内環境にあると判定される場合、前記中継器の前記位置を前記端末の前記位置推定値として提供すること、
を更に含む、請求項１に記載の方法。
【請求項５】
前記中継器が室内の中継器である場合、前記端末は室内環境にあると判定される、請求項４に記載の方法。
【請求項６】
前記中継器に関する受信信号の強度を閾値と比較することと、
前記受信信号の強度が前記閾値を超える場合、前記中継器の前記位置を前記端末の前記位置推定値として提供すること、
を更に含む、請求項１に記載の方法。
【請求項７】
前記閾値は、前記中継器から特定の距離において、前記中継器に関して期待される受信信号の強度に基づいて設定される、請求項６に記載の方法。
【請求項８】
前記識別は、前記中継器からの、受信される前記信号に用いられる擬似乱数（ＰＮ）系列に基づいている、請求項１に記載の方法。
【請求項９】
前記識別は、前記中継器から受信される前記信号の変調特性に基づいている、請求項１に記載の方法。
【請求項１０】
前記識別は、前記中継器からの、受信される前記信号について前記端末で得られる時間測定値に基づいている、請求項１に記載の方法。
【請求項１１】
前記識別は、前記中継器からの、受信される前記信号について前記端末で得られる信号強度測定値に基づいている、請求項１に記載の方法。
【請求項１２】
前記無線通信ネットワークはＣＤＭＡネットワークである、請求項１に記載の方法。
【請求項１３】
中継器を備える無線通信ネットワークで位置決定を実行する方法であって、
無線端末によって受信される信号を中継器からのものであると識別することと、
前記中継器の位置を得ることと、
前記端末の前記より正確な位置推定値を得ることができない場合、前記中継器の前記位置を前記端末の位置推定値として提供することと、
を含む方法であって、
前記中継器は、中継器内部遅延を引き起こす回路を備え、付加的な遅延は、前記中継器内部遅延と、基地局から前記中継器への送信時間とに応答して定義され、前記中継器に関連する付加的な遅延の情報が欠如すると、前記端末の、より正確な位置推定値を得ることができない方法。
【請求項１４】
中継器を備える無線通信ネットワークで位置決定を実行する方法であって、
無線端末によって受信される信号を中継器からのものであると識別することと、
前記中継器の位置を得ることと、
前記端末の、より正確な位置推定値を得ることができない場合、前記中継器の前記位置を前記端末の位置推定値として提供することと、
前記端末が室内環境にあるのか室外環境にあるのかを、衛星及び基地局から前記端末によって受信される信号の数に基づいて判断することと、
前記端末が室内環境にあると判定される場合、前記中継器の前記位置を前記端末の位置推定値として提供すること、
を含む方法。
【請求項１５】
中継器を備える無線通信ネットワークにおける装置であって、
無線端末によって受信される信号を中継器からのものであると識別する手段と、
前記中継器の位置を得る手段と、
前記端末の、より正確な位置推定値を得ることができない場合、前記中継器の前記位置を前記端末の位置推定値として提供する手段、を備え、
前記中継器は、中継器内部遅延を引き起こす回路を備え、付加的な遅延は、前記中継器内部遅延と、基地局から前記中継器への送信時間とに応答して定義され、
前記中継器に関連する付加的な遅延を取り除くために前記中継器の時間測定値を処理する手段と、
前記付加的な遅延が取り除かれた、前記中継器に関する前記時間測定値と、前記端末により受信される少なくとも２つの更なるトランスミッタに関する時間測定値とに基づいて、前記端末の前記より正確な位置推定値を得る手段、
を更に備える装置。
【請求項１６】
前記端末が室内環境にあるのか室外環境にあるのかを判断する手段と、
前記端末が室内環境にあると判定される場合、前記中継器の前記位置を前記端末の前記位置推定値として提供する手段、
を更に備える、請求項１５に記載の装置。
【請求項１７】
前記中継器に関する受信信号の強度を閾値と比較する手段と、
前記受信信号の強度が前記閾値を超える場合、前記中継器の前記位置を前記端末の前記位置推定値として提供する手段、
を更に備える、請求項１５に記載の装置。
【請求項１８】
コンピュータ読み取り可能な記録媒体に記録されたプログラムであって、
無線端末によって受信される信号を中継器からのものであると識別し、
前記中継器の位置を得、
前記端末の、より正確な位置推定値を得ることができない場合、前記中継器の前記位置を前記端末の位置推定値として提供し、
前記端末が室内環境にあるのか室外環境にあるのかを、衛星及び基地局から前記端末によって受信される信号の数に基づいて判断し、
前記端末が室内環境にあると判定される場合、前記中継器の前記位置を前記端末の前記位置推定値として提供する
ための実行可能な命令を含むプログラム。
【請求項１９】
中継器を備える無線通信ネットワークにおけるデバイスであって、
前記ネットワーク内の前記中継器に関する情報のデータベースを記憶するように動作するメモリユニットと、
無線端末によって受信される信号を中継器からのものであると識別し、前記中継器の位置を前記データベースから得て、前記端末の、より正確な位置推定値を得ることができない場合、前記中継器の前記位置を前記端末の位置推定値として提供し、前記端末が室内環境にあるのか室外環境にあるのかを、衛星及び基地局から前記端末によって受信される信号の数に基づいて判断し、前記端末が室内環境にあると判定される場合、前記中継器の前記位置を前記端末の前記位置推定値として提供するプロセッサ、
を備えるデバイス。
【請求項２０】
中継器を備える無線通信ネットワークで位置決定を行う装置であって、
無線端末によって受信される信号を中継器からのものであると識別する手段と、
前記中継器の位置を得る手段と、
前記端末の、より正確な位置推定値を得ることができない場合、前記中継器の前記位置を前記端末の位置推定値として提供する手段と、
前記端末が室内環境にあるのか室外環境にあるのかを、衛星及び基地局から前記端末によって受信される信号の数に基づいて判断する手段と、
前記端末が室内環境にあると判定される場合、前記中継器の前記位置を前記端末の前記位置推定値として提供する手段、
を備える装置。